(57)【要約】  本開示は、歯科矯正治療のために歯（１４）に設置されるパール（１０）と、歯科矯正治療のために歯（１４）に設置されるパール（１０）を製造する方法とに関係し、パール（１０）は表面（１６）を有し、表面（１６）は第１の表面（１８）と、第２の表面（２２）とからなり、第１の表面（１８）が歯（１４）と接触するようになっており、第２の表面（２２）が前記第１の表面（１８）と反対側にあり、第２の表面（２２）が鋭い角を含まない。
2021527492.tif 000002
【特許請求の範囲】
【請求項１】
歯科矯正治療のために歯（１４）に設置されるパール（１０）であって、
前記パール（１０）は表面（１６）を有し、前記表面（１６）が第１の表面（１８）と、第２の表面（２２）とを備え、前記第１の表面（１８）が歯（１４）と接触しており、前記第２の表面（２２）が前記第１の表面（１８）と反対側にあり、
前記第２の表面（２２）が、鋭い角を含まず、
前記第２の表面（２２）が、第１の開口（２６）と、第２の開口（２７）とを備え、前記パール（１０）がアーチワイヤ（１２）用の通路（３０）をさらに有し、前記通路（３０）が前記第２の表面（２２）の前記第１の開口（２６）および前記第２の開口（２７）を通って、長手方向に沿って前記第１の開口（２６）と前記第２の開口（２７）との間で長手方向に伸び、前記通路（３０）が正方形または長方形の断面形状を有する、パール（１０）。
【請求項２】
前記パール（１０）は第３の表面（２３）をさらに備え、
前記第３の表面が前記第２の表面（２２）を２つの部分（２２Ａ、２２Ｂ）に分け、前記第３の表面（２３）が溝（１２３）を備える、請求項１に記載のパール（１０）。
【請求項３】
前記パール（１０）がコーティングされる、請求項１または２に記載のパール（１０）。
【請求項４】
前記パール（１０）が、前記表面（１６）と前記通路（３０）との間に物質が詰まっており、前記通路（３０）が前記アーチワイヤ（１２）用の中空導管を画定する、請求項１から３のいずれか一項に記載のパール（１０）。
【請求項５】
前記通路（３０）の材料が金属を含む、請求項１から４のいずれか一項に記載のパール（１０）。
【請求項６】
前記パール（１０）が２つの通路（３０、３１）を備える、請求項１から５のいずれか一項に記載のパール（１０）。
【請求項７】
前記パール（１０）が、アーチワイヤ（１２）の自由端を受け入れるために設けられた収容部（３４）をさらに備える、請求項１から６のいずれか一項に記載のパール（１０）。
【請求項８】
前記第１の表面（１８）が、歯（１４）上の歯エリア（１５）と接触しているパールエリア（２０）を有し、前記パールエリア（２０）および前記歯エリア（１５）が相補的である、請求項１から７のいずれか一項に記載のパール（１０）。
【請求項９】
前記第２の表面（２２）が頂部（２４）をさらに備え、前記頂部（２４）が滑らかである、請求項１から８のいずれか一項に記載のパール（１０）。
【請求項１０】
前記第１の表面（１８）が、最大垂直寸法（Ｖ１８）４ｍｍおよび最大水平寸法（Ｈ１８）３ｍｍを有し、前記頂部（２４）が、第１の表面（１８）の最大距離（Ｄ２４）３ｍｍにある、請求項９に記載のパール（１０）。
【請求項１１】
前記パール（１０）が、３ｍｍ３〜１１ｍｍ３の間である体積を有し、前記体積が前記表面（１６）によって定められる、請求項１から１０のいずれか一項に記載のパール（１０）。
【請求項１２】
前記パール（１０）が、１ｇ〜１０ｇの間である重さを有する、請求項１から１１のいずれか一項に記載のパール（１０）。
【請求項１３】
歯科矯正治療のために歯（１４）に設置されるパール（１０）を製造する方法であって、
前記パール（１０）が表面（１６）を備え、前記表面（１６）が第１の表面（１８）と、第２の表面（２２）とからなり、前記第１の表面（１８）が歯（１４）と接触するようになっており、前記第２の表面（２２）が前記第１の表面（１８）と反対側にあり、前記第２の表面（２２）が鋭い角を含まず、前記第２の表面（２２）が第１の開口（２６）と、第２の開口（２７）とを備え、前記パール（１０）がアーチワイヤ（１２）用の通路（３０）をさらに有し、前記通路（３０）が前記第２の表面（２２）の前記第１の開口（２６）および前記第２の開口（２７）を通って、長手方向に沿って前記第１の開口（２６）と前記第２の開口（２７）との間で長手方向に伸び、前記通路（３０）が正方形または長方形の断面形状を有し、前記パール（１０）が付加製造によって取得される、方法。
【請求項１４】
前記付加製造が、セラミック材料で行われる、請求項１３に記載の方法。
【請求項１５】
前記付加製造が、生体適合性材料で行われる、請求項１３に記載の方法。
【発明の詳細な説明】
【技術分野】
【０００１】
本開示は、歯科矯正治療用のパール、およびそのようなパールを製造する方法に関する。
【０００２】
より正確には、本開示は、歯科矯正治療のために歯に設置されるパールに関し、パールは表面を有し、表面は第１の表面と第２の表面とからなり、第１の表面は歯と接触するようになっており（ｄｅｓｔｉｎｅｄ  ｔｏ  ｂｅ  ｉｎ  ｃｏｎｔａｃｔ）、第２の表面は第１の表面と反対側にある。
【背景技術】
【０００３】
一般に、特許文献１に開示されているように、ブラケットは、歯の表面に装着するための取付けベースと、ベースの上に形成され、歯科矯正アーチワイヤを受け入れるサイズに作られたアーチワイヤスロットとを含む。ブラケットには、ワイヤ結紮（ｗｉｒｅ  ｌｉｇａｔｕｒｅ）またはエラスティック結紮（ｅｌａｓｔｉｃ  ｌｉｇａｔｕｒｅ）によってアーチワイヤを保持するタイウィング（ｔｉｅ  ｗｉｎｇ）が設けられる。
【０００４】
同じ目的で、結紮タイのない他のブラケットもまた、使用される。これらのブラケットは、自己結紮ブレースとみなされる。
【０００５】
しかしそのようなブラケットは見えやすく、ブラケットを非審美的にする。さらに、特に歯の舌側表面にパールが設置されるとき、既知のブラケットは、たとえば舌がブラケットに触れるとき、不快感を引き起こす可能性がある。
【先行技術文献】
【特許文献】
【０００６】
【特許文献１】米国特許第８６７８８１７（Ｂ２）号
【発明の概要】
【課題を解決するための手段】
【０００７】
本明細書で、「歯科矯正治療」という用語は、患者の歯の審美的外観の改善として理解されるべきであり、「歯科矯正治療」は手術を除外する。別の言い方では、本開示において、手術を含まない装置によって歯の位置の改善が得られ、上記装置が矯正の力を発揮する。
【０００８】
そのため、本開示は、歯科矯正治療のために歯に設置されるパールに関し、パールは表面を有し、表面は第１の表面と第２の表面とを備え、第１の表面は歯と接触するようになっており、第２の表面は第１の表面と反対側にあり、第２の表面は鋭い角を含まない。
【０００９】
そのようなパールは、特に歯と調和することが可能である。より正確には、本開示で明らかにするパールを用いると、患者は患者の口の中でパールを感じない（またはほとんど感じない）。加えて、そのようなパールはほとんどまたは全く見えないので、非常に審美的である。
【００１０】
本開示の様々な実施形態では、以下の特徴のうちのいずれかが、単独でまたは相互に組み合わせて本開示のパールに組み込まれてもよい。
歯科矯正治療のために歯に設置されるパールであって、パールは表面を有し、表面は第１の表面と第２の表面とで構成され、第１の表面は歯と接触するようになっており、第２の表面は第１の表面と反対側にあり、第２の表面は鋭い角を含まない、
パールはコーティングされる、
パールの外側表面は、滑らかな材料を含む、
第１の表面の外側表面は、滑らかな材料を含む、
第２の表面の外側表面は、滑らかな材料を含む、
パールはさらに第３の表面を備え、第３の表面は第２の表面を２つの部分に分け、第３の表面は溝を備える、
第３の表面の外側表面は、滑らかな材料を含む、
歯科矯正治療のために歯に設置されるパールであって、パールは表面を有し、表面は第１の表面と、第２の表面と、第３の表面とで構成され、第１の表面は歯と接触するようになっており、第２の表面は第１の表面と反対側にあり、第２の表面は鋭い角を含まず、第３の表面は第２の表面を２つの部分に分け、第３の表面は溝を備える、
パールはさらに、アーチワイヤ用の通路を有し、通路は、第２の表面を通って伸びる、
通路の材料は、金属を含む、
通路は金属製である、
パールは、表面と通路との間に材料が詰まっており、通路はアーチワイヤ用の中空導管を画定する、
第２の表面はさらに第１の開口と、第２の開口とを備え、通路は第１の開口および第２の開口を通って伸びる、
通路は、長手方向に沿って第１の開口と第２の開口との間で長手方向に伸び、通路は、正方形または長方形の断面形状を有する、
パールは２つの通路を備える、
パールはさらに、アーチワイヤの自由端を受け入れるために設けられた収容部を備える、
第１の表面は、歯上の歯エリアと接触しているパールエリアを有し、パールエリアおよび歯エリアは相補的である、
第２の表面はさらに頂部を備え、頂部は滑らかである、
第１の表面は、最大垂直寸法４ｍｍ、および最大水平寸法３ｍｍを有し、頂部は、第１の表面の最大距離３ｍｍにある、
パールは、３ｍｍ３（立方ミリメートル）〜１１ｍｍ３の間である体積を有し、体積は表面によって定められる、
パールは、１ｇ（グラム）〜１０ｇの間である重さを有する。
【００１１】
本開示の別の目的は、歯科矯正治療のために歯に設置されるパールを製造する方法であり、パールは表面を含み、表面は第１の表面と第２の表面とからなり、第１の表面は歯と接触するようになっており、第２の表面は第１の表面と反対側にあり、第２の表面は鋭い角を含まず、パールは付加製造によって取得される。
【００１２】
本開示の様々な実施形態では、以下の特徴のうちのいずれかが、単独でまたは相互に組み合わせて本開示の製造方法に組み込まれてもよい。
付加製造は、セラミック材料で行われる、
付加製造は、生体適合性材料で行われる。
【００１３】
本開示の他の特徴および利点は、添付の図面を参照して、非限定的な例として示す、例の以下の説明から容易に明らかになるであろう。
【図面の簡単な説明】
【００１４】
【図１】歯科矯正治療用のいくつかのパールの全体像である。
【図２】歯に設置されている、本開示によるパールの斜視図である。
【図３】本開示によるパールの一例の正面図である。
【図４】図３のパールの斜視側面図である。
【図５】図３のパールの断面側面図である。
【図６】本開示によるパールの別の例の正面図である。
【図７】本開示によるパールの別の例の正面図である。
【図８】本開示によるパールの別の例の正面図である。
【図９】本開示によるパールの別の例の斜視図である。
【図１０】本開示によるパールの別の例の斜視図である。
【図１１】本開示によるパールの別の例の斜視図である。
【発明を実施するための形態】
【００１５】
図は、本開示によるパール１０の異なる例を示す。パール１０は、歯科矯正治療に使用される。たとえば、図１および図２に示すように、パール１０は歯１４に付けられる。この場合、パール１０は、歯１４の舌側表面１１に付けられる。しかしながら、別の例では、パール１０は、歯１４の唇側１３表面に付けられてもよい。
【００１６】
より正確には、パール１０は、アーチワイヤ１２用の保持要素である。より正確には、パール１０は、アーチワイヤ１２のためのブラケットの機能を持つ。パール１０は、それの内部にアーチワイヤ１２を保持し、これによりアーチワイヤ１２がパール１０から外れないようにする。一般に、同じ顎のいくつかの歯に取り付けられた一連のパール１０にアーチワイヤ１２が挿入されると、歯科矯正アーチが形成される。パール１０が歯の舌側表面１１に付けられるとき、歯科矯正アーチは、舌側歯科矯正アーチである。パール１０が歯の唇側表面１３に付けられるとき、歯科矯正アーチは、唇側歯科矯正アーチである。
【００１７】
次に図３および図４を参照すると、パール１０は、表面１６を有する。表面１６は、第１の表面１８と、第２の表面２２とからなる。
【００１８】
第１の表面１８および第２の表面２２は、パール１０の体積を定める。有利には、パールの体積は、２ｍｍ３（立方ミリメートル）〜２５ｍｍ３の間である。好ましくは、体積は、３ｍｍ３〜１１ｍｍ３の間である。パール１０は、したがって、歯に対して特定のコンパクトなサイズを有する。たとえば、歯に対して、パール１０は、歯の舌側表面の２０％〜９９％を占める。パール１０は、解剖学的なおよび／または歯と同型の形状を有してもよい。言い換えれば、それの底部よりもそれの上部自由端でより幅広い歯１４の場合、パール１０の形状もまた、歯の底部に向かってよりも歯１４の上部自由端の方に向かってより幅広くなることがある。
【００１９】
さらに、パールの重さは、好ましくは１ｇ（グラム）〜１０ｇである。
【００２０】
パール１０は、たとえば、セラミック材料で作られる。セラミックは、歯の色と同様の色を有し、パール１０の美的性質を向上させる。さらに、セラミックは生体適合性があり、人体への利用に適合することを意味する。セラミックはまた、負荷に耐性がある材料であり、アーチワイヤ１２によってパール１０にかけられる負荷に関してパール１０が十分に耐えることを可能にする。しかしながら、パール１０は、生体適合性樹脂などの他の材料で作られてもよい。
【００２１】
一体型に製造すると、手動の扱いに関連する組立ての問題を無くすことが可能になる。そのようなパール１０は、プラスチック材料、たとえば生体適合性樹脂で作られるとき、特に一体型に製造される。
【００２２】
加えて、パール１０は、たとえばスナップフィットのような取付手段によって互いに組み立てられる少なくとも２つの部品に製造されてもよい。そのような２つの部品での製造は、使用される材料の量の最適化を可能にし、したがってコストの削減を可能にする。少なくとも２つの部品での製造は、具体的には、パール１０がセラミックなど他の材料を含むとき、適用されてもよい。実際には、セラミック材料は、一般的にプラスチック材料よりも高価である。さらに、歯科矯正治療に使用される材料（プラスチックおよびセラミック）は、生体適合性を有する必要がある。加えて、少なくとも２つの部品での製造は、技術的／経済的理由のために適用されてもよい。
【００２３】
加えて、パールは、コーティングされることがある。より正確には、パール１０の外側表面は、コーティングされることがある。実際は、パール１０は、技術的または経済的理由のために金属で製造され、患者の快適さを高めるためにそれの表面を滑らかな材料でコーティングされることがある。同様に、パール１０は、滑らかな材料で作られることがある。
【００２４】
滑らかな材料は、たとえばセラミック材料またはプラスチック材料である。
【００２５】
第１の表面１８は、歯１４と接触するようになっている。第１の表面１８は、パールエリア２０を有する。パールエリア２０は、歯エリア１５上の、歯１４と接触するようになっているエリアである。有利には、パールエリア２０および歯エリア１５は、相補的である。言い換えれば、パールエリア２０の形状および歯エリア１５の形状は、相補形である。そのように、パールエリア２０の全体は、歯エリア１５の全体と接触している。パールがコーティングされているとき、それは少なくとも第２の表面２２の外側表面がコーティングされていることを意味する。パールがコーティングされているとき、第１の表面１８の外側表面は、さらにコーティングされる場合がある。
【００２６】
第２の表面２２は、第１の表面１８と反対側にある。第２の表面２２は、口の内側の周囲環境と接触するようになっている。そのために舌が第２の表面２２に触れる。さらに、第２の表面２２は、アーチワイヤ１２が交差するようになっている。
【００２７】
有利には、第２の表面２２は、鋭い角を含まない。言い換えれば、第２の表面２２には表面のむらまたは粗さがない。そのために第２の表面２２は滑らかである。第２の表面２２は、したがって歯１４の外観を仕上げるように形作られる。
【００２８】
さらに、たとえば第２の表面２２は、ドーム形状を有する。好ましくは、第２の表面２２の接線間の角度は、１２０°〜１８０°の間である。
【００２９】
図５に示すように、たとえば、第２の表面２２は凸状である。第２の表面２２の凸性は、より顕著であってもよく、あまり顕著でなくてもよい。実際、歯１４が、パール１０を設置するようになっている場所に穴を含む場合、第２の表面２２の凸性は低い（すなわち、第２の表面２２は少ししか湾曲していない）。この場合、パール１０は、穴を閉じる。結果として、第１の表面１８の形状は、第２の表面２２の形状よりも凸状である。さらに、第２の表面２２は、歯１４の表面とひと続きになっている。
【００３０】
より正確には、数学的に言えば、第２の表面２２は、滑らかな関数として表すことができる。滑らかな関数は、連続した曲線および少なくとも第１の導関数を有する。たとえば、第２の表面２２を表す関数は、第１の導関数が連続的でありさえすれば、Ｃ１級であってもよい。別の例では、関数は、Ｃ２級であってもよく、それの第１および第２の導関数は連続である。別の例では、関数は、Ｃ３級であってもよく、それの第１、第２、および第３の導関数は連続である。言い換えれば、関数は、Ｃｎ級であってもよく、それのｎ個の導関数は連続であり、ｎは正の整数である。
【００３１】
第２の表面２２のこの特定の形状は、パール１０の美的結果をもたらす。さらに、人が自分の歯に自分の舌を走らせるとき、人は、歯がそれの表面に異質な要素を含む感覚を持たない。第２の表面２２の形状のために、舌は、パール１０の上を走るときパール１０に引っかからない、または剥がれない。
【００３２】
その上、第２の表面２２は、頂部２４を含むことができる。頂部２４は鋭くない。実際は、頂部２４は凸状である。頂部２４の曲率半径は、歯１４に触れている感覚（したがって、パール１０がない感覚）をできるだけ与えるために選ばれる。たとえば、歯またはパール１０が反対顎の歯と接触することができる歯にパール１０が設置されるとき、頂部２４の曲率半径は、パール１０と反対顎の歯との接触を回避するために選択されるべきである。
【００３３】
さらに、頂部２４は、以下で説明する通路３０に対して位置を定めることができる。
【００３４】
さらに、図３の例について示すように、第２の表面２２は、第１の開口２６と、第２の開口２７とを含む。第１の開口２６および第２の開口２７は、通路３０を定める。第１の開口２６および第２の開口２７は、ほぼ頂部２４の両側に配置される。
【００３５】
通路３０は、アーチワイヤ１２のための中空導管（ｈｏｌｌｏｗ  ｃｈａｎｎｅｌ）を画定する。通路３０は、パール１０の内部で、第１の開口２６および第２の開口２７を通って長手方向Ｄに沿って長手方向に伸びる。第１および第２の開口２６、２７は、長手方向Ｄに沿って、頂部２４に関して反対側に位置している。通路３０の形状は、アーチワイヤ１２を受け入れるように与えられる。より正確には、本開示によれば、通路３０は、アーチワイヤ１２に専用である。言い換えれば、通路３０の断面形状は、アーチワイヤ１２の断面形状に対応する。しかしながら、アーチワイヤ１２と通路３０との間にはあそびがある。あそびは、通路３０の断面サイズとアーチワイヤ１２の断面サイズとの差に対応する。より正確には、通路３０の断面サイズは、アーチワイヤ１２の断面サイズよりも大きいまたはこれに等しい。あそび、したがって通路３０の断面サイズおよび／またはアーチワイヤ１２の断面サイズは、アーチワイヤ１２が通路３０内で横方向に動くことを多かれ少かれ可能にするために選ばれる。通路３０とアーチワイヤ１２との最良適合は、したがってこの目的で選ばれる。あそびが大きければ大きいほど、アーチワイヤ１２は通路３０内でより動くことになる。たとえば、通路３０の断面サイズが、アーチワイヤ１２の断面サイズにほぼ対応する場合、アーチワイヤ１２は通路３０内で横方向にほとんど動くことができない。このように、通路３０とアーチワイヤ１２との間の摩擦が大きければ大きいほど、歯１４の動きは制御される（たとえば、ねじる動き（ｔｏｒｑｕｅ  ｍｏｖｅｍｅｎｔ）など）。反対に、通路３０の断面サイズが、アーチワイヤ１２の断面サイズよりも大きい場合、アーチワイヤ１２は通路３０内で横方向に動くことができる。
【００３６】
しかしながら、たいていの場合、歯科矯正治療中の歯１４の動きを可能にするために、通路３０内のアーチワイヤ１２の（長手方向Ｄに沿った）長手方向の動きが可能でなければならないことに留意されたい。
【００３７】
その上、パール１０が滑らかな材料で作られるとき、通路３０は、アーチワイヤ１２の挿入を容易にするために、およびアーチワイヤ１２と通路３０との間の摩擦を減らすために、金属製とすることができる。
【００３８】
図５でわかるように、通路３０の断面は正方形とすることができる。
【００３９】
別の例では、通路３０の断面は、長方形であってもよい。
【００４０】
別の例では、通路３０の断面は、円形であってもよい。
【００４１】
通路３０の断面はまた、三角形であってもよい。
【００４２】
別の例では、通路３０の断面は、上記で提示した形状の混合であってもよい。たとえば、通路３０は、１つの直角の角および残りが丸みを帯びた断面を有することがある。別の例では、通路は、２つの直角の角および残りが丸みを帯びた断面を有することができる。通路３０の正方形の断面は、具体的には正方形のアーチワイヤに適応している。同様に、通路３０の長方形の断面は、具体的には長方形のアーチワイヤに適応しており、通路３０の円形の断面は、具体的には円形のアーチワイヤに適応している。しかしながら、正方形の通路で長方形または円形のアーチワイヤを使用すること、円形の通路で長方形または正方形のアーチワイヤを使用することなどが可能であることに留意されたい。
【００４３】
図６に示す別の例では、第２の表面２２は、第１および第２の開口２６および２７に加えて、第３および第４の開口２８および２９を含む。
【００４４】
第３の開口３８および第４の開口２９は、補助通路３１を画定する。この補助通路３１は、通路３０と同様であっても、または通路３０と異なっていてもよい。たとえば、通路３０は正方形の断面形状を有するが、補助通路３１は、円形の断面形状を有してもよい。
【００４５】
補助通路３１は、補助アーチワイヤ１２’用の補助中空導管を画定する。補助アーチワイヤ１２’は、アーチワイヤ１２と同一であっても、またはアーチワイヤ１２と異なっていてもよい。たとえば、アーチワイヤ１２は、それの断面が円形であるのに対して、補助アーチワイヤ１２’は、円形断面を有する。
【００４６】
補助通路３１は、歯科矯正治療の効率を向上させ得る。実際、歯科矯正治療の間、歯は、不正咬合位置から整列位置（ａｌｉｇｎｅｄ  ｐｏｓｉｔｉｏｎ）に、動くように意図される。そのような動きは、パール１０を介して、各歯にアーチワイヤ１２によって加えられる力によるものである。パール１０内のアーチワイヤ１２の位置は、歯１４の動きを決定する。パール１０が補助通路３１を含むとき、および補助アーチワイヤ１２’が補助通路３１に挿入されるとき、アーチワイヤ１２は、たとえば歯１４の配列を制御してもよく、補助アーチワイヤ１２’は、歯１４の向き、したがって歯１４のねじる動きを制御してもよい。この場合、補助アーチワイヤ１２’は、歯科矯正治療を仕上げる。さらに、補助アーチワイヤ１２’は、歯科矯正治療の効果を高める。有利には、補助アーチワイヤ１２’の存在は、より大きい力が歯１４に加えられることを可能にし、したがって歯科矯正治療の期間の短縮を可能にする。
【００４７】
別の例では、歯科矯正治療の第１のステップにおいて、パール１０にアーチワイヤ１２と補助アーチワイヤ１２’の両方を設けることができる。次いで、さらなるステップにおいて、アーチワイヤ１２および補助アーチワイヤ１２’のうちの一方を、それぞれ通路３０または補助通路３１から取り除くことができる。
【００４８】
別の例では、通路３０および補助通路３１は、同時にアーチワイヤ１２を受け入れてもよい。
【００４９】
図５に戻ると、パール１０は、表面１６と通路３０との間をそれの材料で完全に満たされる。パール１０は、したがって、通路３０を含む中実体である。
【００５０】
別の例では、パール１０は、それの表面１６に、および通路３０の周りにのみ物質を含む場合があり、材料は通路３０を取り囲む。言い換えれば、この場合、パール１０は中空であるが、通路３０は材料によって定められる。
【００５１】
別の例では、パール１０は、物質の配置がパール１０の剛性を向上させるように、表面１６と通路３０との間に材料および間隙を含む場合がある（たとえば、ハニカム構造を想像することができる）。
【００５２】
また別の例では、パール１０は、それの表面１６にのみ物質を含んでもよい。この場合、パール１０は中空である。
【００５３】
図８に示す別の例によれば、第２の表面２２は、収容開口（ｈｏｕｓｉｎｇ  ｏｐｅｎｉｎｇ）３２を含む。収容開口３２は、アーチワイヤ１２の自由端を受け入れるために設けられる。たとえば、収容開口３２は、歯科矯正アーチの最後または最初の歯に設置されるパール１０上に設けることができる。収容開口３２は、アーチワイヤ１２の自由端を詰め込み、この歯科矯正治療を受けている人の口の中でアーチワイヤ１２の端部を固定しないままにしておかないことを可能にする。
【００５４】
一例では、パール１０がそれの材料で完全に満たされるとき、材料は、パール内に収容開口３２から伸びる収容部３４を定める。より正確には、長手方向Ｈに沿って、収容部３４は、収容開口３２から底部３３まで伸びる。収容部３４は、したがって底部３３によって定められる深さを有する。収容部３４は、収容部３４内に受け入れられるアーチワイヤ１２の形状を補完する形状を有する。さらに、収容部３４は、アーチワイヤ１２が歯科矯正治療中に長手方向Ｈに沿って動くことができるように設けられる。収容部３４内のアーチワイヤ１２の動きは、たとえば、歯が不正咬合位置から整列位置に動くことによるものであり、歯が整列位置に向かって進めば進むほど、アーチワイヤ１２は底部３３に近づく。実際は、収容部３４の深さは、アーチワイヤ１２が収容部３４の底部３３に接触しないように選ばれる。したがって収容部３４の底部３３は、歯科矯正治療を妨げない。
【００５５】
パール１０の寸法は、いくつかの要素によって決まる。たとえば、要素は、以下のうちの１つまたは組合せとすることができる。
−  歯１４の外部形状、
−  歯１４の寸法、
−  顎上の歯１４の位置、
−  歯１４の不正咬合位置、
−  歯１４の整列位置、
−  パール１０内に挿入されるために提供されるアーチワイヤ１２の寸法、
−  歯１４と反対の顎の歯との接触、
−  歯１４と同じ顎の歯との接触、
−  患者の快適さ、
−  アーチワイヤ１２の曲がりを最小限に抑えること、
−  治療の必要性。
【００５６】
これらの要素がすべて、治療の効果、およびそのようなパール１０を歯１４に付けた患者が感じる快適さに寄与する。
【００５７】
図４および図５は、パール１０を備えることができる寸法の一例を示す。パール１０は、第１の方向Ｙ、第２の方向Ｘ、および第３の方向Ｚに沿って伸び、第１の方向Ｙ、第２の方向Ｘ、および第３の方向Ｚは、互いに直交している。第１の方向Ｙは、水平方向を表す。第２の方向Ｘは、横断方向を表す。第３の方向Ｚは、垂直方向を表す。
【００５８】
第１の方向Ｙに沿って、第１の表面１８は、２つの最も離れた点Ａ１８とＢ１８との間で計った、５ｍｍ（ミリメートル）を下回る水平寸法Ｈ１８を有する。たとえば、水平寸法は２．５ｍｍである。
【００５９】
有利には、水平寸法Ｈ１８は、アーチワイヤ１２の最大可能長さを含むように選ぶことができる。舌がアーチワイヤ１２と接触することは減少する。言い換えれば、パール１０は、アーチワイヤ１２に触れるときの不快感から舌を守る。
【００６０】
第３の方向Ｚに沿って、第１の表面１８は、２つの最も離れた点Ｃ１８とＤ１８との間で計った、５ｍｍを下回る垂直寸法Ｖ１８を有する。たとえば、垂直寸法は４ｍｍである。
【００６１】
横断方向Ｘに沿って、頂部２４は、１ｍｍ〜４ｍｍの間である、頂部２４のピークＰ２４と、第１の表面１８との間で計った距離Ｄ２４である。たとえば、距離Ｄ２４は、２ｍｍ〜３ｍｍの間である。
【００６２】
次に本開示の別の例について、図９、図１０、および図１１を参照しながら説明する。
【００６３】
図９のパール１０の表面１６は、第１の表面１８と、第２の表面２２と、第３の表面２３とを備える。第３の表面は、第２の表面２２を２つの部分２２Ａおよび２２Ｂに分ける。さらに、第３の表面２３は、溝１２３を備える。パールがコーティングされるとき、第３の表面２３の外側表面は、さらにコーティングされる場合がある。
【００６４】
溝１２３は円形である。溝１２３は、たとえば図１１に示すように歯科矯正弾性パワーチェーン１２４を受け入れるために設けられる。
【００６５】
図１１では、一連のパール１０が、同じ顎のいくつかの歯１４に取り付けられている。歯科矯正弾性パワーチェーン１２４は、各パール１０の溝１２３に保持されることによって、すべてのパール１０で連結される。
【００６６】
本開示の別の目的は、パール１０を製造する方法である。
【００６７】
本開示によれば、パール１０は、付加製造によって製造される。たとえば、付加製造は、３次元プリンティングである。３次元プリンティングは、コストを削減し、生産能力を増大させる。
【００６８】
有利には、パール１０は、セラミック材料または生体適合性樹脂で作ることができる。
【００６９】
プリンティングの前に、パール１０は、コンピュータ支援設計（ＣＡＤ）によって設計される。コンピュータ支援設計は、１本または複数本の歯の不正咬合位置および整列位置を考慮に入れる。
【００７０】
別の例では、パール１０は、除去製造によって製造される。たとえば、除去製造は、ＣＮＣ（コンピュータ数値制御）フライス盤を用いて、またはレーザー切断機を用いて材料を切ることによって行われる。
【００７１】
別の例では、パール１０は、金属またはセラミックまたはＰＥＥＫを鋳造することによって型から作られる。
【符号の説明】
【００７２】
１０  パール
１１  舌側表面
１２  アーチワイヤ
１２’  補助アーチワイヤ
１３  唇側表面
１４  歯
１５  歯エリア
１６  表面
１８  第１の表面
２０  パールエリア
２２  第２の表面
２３  第３の表面
２４  頂部
２６  第１の開口
２７  第２の開口
２８  第３の開口
２９  第４の開口
３０  通路
３１  補助通路
３２  収容開口
３３  底部
３４  収容部
４０  スプリント
４２  内側表面
４４  外側表面
４６  舌側表面
４８  唇側表面
５０  陥凹
５２  中間スプリント
５４  最終スプリント
１２３  溝
１２４  歯科矯正弾性パワーチェーン
【図１】
2021527492.tif 000003
【図２】
2021527492.tif 000004
【図３】
2021527492.tif 000005
【図４】
2021527492.tif 000006
【図５】
2021527492.tif 000007
【図６】
2021527492.tif 000008
【図７】
2021527492.tif 000009
【図８】
2021527492.tif 000010
【図９】
2021527492.tif 000011
【図１０】
2021527492.tif 000012
【図１１】
2021527492.tif 000013
【国際調査報告】
2021527492.tif 000014
2021527492.tif 000015
2021527492.tif 000016